(57)【特許請求の範囲】
【請求項１】
前端にペン先（２）を備えた軸筒（３）の内部に直にインキ（１１）と該インキ（１１）の消費に伴って前進する追従体（１２）を収容した筆記具であって、有底筒体よりなる外尾栓（４）を、軸筒（３）後部外面に挿着し、前記軸筒（３）後部外面と前記外尾栓（４）内面との間に、軸筒（３）の後端開口部を通して軸筒（３）内部と連通する通気路（６）を形成し、前記通気路（６）と外気とを連通させる通気口（６１）を、前記軸筒（３）の後端開口部より前方に設け、軸筒（３）外面と外尾栓（４）内面との接続部（５）に前記通気路（６）を設け、前記外尾栓（４）と前記軸筒（３）とを接続する接続部（５）は、軸筒（３）の後端開口部と通気口（６１）の間に配設され、外尾栓（４）の軸筒（３）からの抜け止め機能を有するものであり、前記軸筒（３）の外周面に設けた複数の嵌合用突起（５１）と、前記外尾栓（４）の内周面に設けた環状の嵌合用突起（５２）とからなり、前記接続部（５）の接続構造が乗り越え嵌合であることを特徴とする筆記具（１）。
【請求項２】
外尾栓（４）の前方の軸筒（３）外面にグリップ部（３２）を設け、前記グリップ部（３２）の後方に通気口（６１）を設けた請求項１記載の筆記具（１）。
【請求項３】
外尾栓（４）の開口端部（４１）に通気口（６１）を設けた請求項１または２記載の筆記具（１）。
【請求項４】
通気口（６１）は複数である請求項１、２又は３記載の筆記具（１）。
【請求項５】
追従体（１２）がグリス状である請求項１記載の筆記具（１）。
【請求項６】
軸筒（３）の内部と外部を連通させる通気孔（７４）を備えた内尾栓（７）を、軸筒（３）の後端開口部内面に挿着した請求項１又は５記載の筆記具（１）。
【請求項７】
逆流防止弁装置（９）を、ペン先（２）内部、軸筒（３）内部のペン先（２）近傍、又は軸筒（３）内部の追従体（１２）後方に設けた請求項１、５又は６記載の筆記具（１）。
【発明の詳細な説明】
【０００１】
【発明の属する技術分野】
本発明は筆記具に関する。さらに詳細には、前端にペン先を備えた軸筒の内部に直にインキ及び該インキの消費に伴って前進する追従体を収容した筆記具に関する。
【０００２】
【従来の技術】
従来のこの種の筆記具において、例えば、特開平６−１１５２９１号公報には、軸筒内に直にインキ及び追従体を収容し、前記軸筒の後端開口部内面に、通気手段を備えた尾栓（本発明の内尾栓に相当）を嵌着してなる構成が開示されている。
【０００３】
特に、軸筒内に直にインキ及び追従体を収容するものにあっては、大容量のインキが収容できるとしても、ペン先を上向き状態にさせると大容量インキの自重によりインキが逆流（即ちインキが下降）し易い。そのため、前記従来の筆記具では、ペン先上向き状態におけるインキの逆流を防止する目的で、前記尾栓内に、自重により作動するボール弁からなる逆流防止弁装置が設けられている。
【０００４】
しかし、前記従来の筆記具は、尾栓の後端に通気孔が開口されているため、前記尾栓の通気孔内に外部から塵や埃が入り易く、逆流防止弁装置の弁機能を阻害するおそれがある。もし、前記逆流防止弁装置が正常に作動しなかった場合、前記通気孔から外部にインキが直に漏出するおそれがあり、さらに、このとき筆記具を衣服のポケットに差していると、漏出インキにより衣服を汚すことになる。すなわち、従来、この種の筆記具において、逆流防止弁装置が作動不良の場合の安全対策が何ら取られておらず、筆記具後端からのインキ漏出事故が発生するおそれがあった。
【０００５】
【発明が解決しようとする課題】
本発明は前記従来の問題点を解決するものであって、大容量のインキが収容可能であることは勿論、筆記具後端からのインキ漏出を確実に防止し、インキ漏出事故に対する安全性が著しく向上する筆記具を提供しようとするものである。尚、本発明において、「前」とはペン先側を示し、「後」とは尾栓側を示す。
【０００６】
【課題を解決するための手段】
（概要）
本発明は、前端にペン先２を備えた軸筒３の内部に直にインキ１１と該インキ１１の消費に伴って前進する追従体１２を収容した筆記具１であって、有底筒体よりなる外尾栓４を、軸筒３後部外面に挿着し、前記軸筒３後部外面と前記外尾栓４内面との間に、軸筒３の後端開口部を通して軸筒３内部と連通する通気路６を形成し、前記通気路６と外気とを連通させる通気口６１を、前記軸筒３の後端開口部より前方に設け、軸筒３外面と外尾栓４内面との接続部５に前記通気路６を設け、前記外尾栓４と前記軸筒３とを接続する接続部５は、軸筒３の後端開口部と通気口６１の間に配設され、外尾栓４の軸筒３からの抜け止め機能を有するものであり、前記軸筒３の外周面に設けた複数の嵌合用突起５１と、前記外尾栓４の内周面に設けた環状の嵌合用突起５２とからなり、前記接続部５の接続構造が乗り越え嵌合であること（請求項１）を要件とする。（図１、図７、図８、及び図９に対応）
【０００７】
前記構成（請求項１）において、前記外尾栓４の軸筒３後部外面への挿着によって軸筒３の後端開口部の外周面が覆われ、通気口６１が軸筒３の後端開口部より前方に位置している。それにより、通気路６が軸筒３の後端開口部から前方へ迂回されるため、もし、インキ１１が軸筒３の後端開口部より漏出したとしても、外尾栓４の底部（閉塞壁部４２）により筆記具１の後端に孔が存在しないため、少なくとも筆記具１後端から外部へのインキ１１の漏出が防止され、インキ漏出に対する安全性が向上する。
【０００８】
また、前記通気路６が、通気口６１を介して外気と連通すると共に、軸筒３の後端開口部を介して軸筒３内部（即ち軸筒３内部の追従体１２後方の空間）と連通しているため、軸筒３内部が常に大気圧となり、筆記時のインキ１１消費に伴うインキ１１及び追従体１２の前進移動を可能にする。尚、前記外尾栓４は、一方に開口端部４１を備え、他方に閉塞壁部４２を備える有底筒体が好ましい。
前記構成（請求項１）により、外尾栓４を軸筒３に挿着する際の外尾栓４内部（即ち、軸筒３内部の追従体１２後方の空間）の圧力上昇を回避し、ペン先２からのインキ漏出を防止する。
また、前記外尾栓４内面は軸筒３後部外面に挿着されるが、外尾栓４内面と軸筒３外面とを接続させる接続部５の具体的な構造は、嵌着が、製造組立が容易な点で好ましい。前記嵌着とは、乗り越え嵌合である。
また、前記接続部５の接続構造が嵌着であるとき、前記接続部５に通気路６を設ける手段としては、軸筒３外面に嵌合用突起を設け、そこに通気溝を設ける構成が好ましい。
【０００９】
（グリップ部）
前記請求項1の筆記具１において、外尾栓４の前方の軸筒３外面にグリップ部３２を設け、前記グリップ部３２の後方に通気口６１を設けた構成（請求項２）が好ましい。（図１、図７、図８、及び図９に対応）
【００１０】
前記構成（請求項２）により、外尾栓４が軸筒３前部にグリップ部３２を残して挿着されるため、グリップ部３２の外径を、外尾栓４の外径に影響されず手で持ちやすい太さのものに自由に設定できると共に、軸筒３の全てを外尾栓４で覆わないため、軸筒３を太径にして、インキ収容量を大きくすることができる。仮に、外尾栓４外周面にグリップ部３２を構成した場合、外尾栓４によって軸筒３前部が覆われ、軸筒３は小径となってしまい、インキ収容量を少量にしてしまう。
【００１１】
また、通気口６１を、グリップ部３２の後方に配設してなることによって、筆記時、指で通気口６１を塞ぐことを防止でき、通気路６の通気性能を阻害することがない。
【００１２】
尚、前記グリップ部３２とは、筆記時、通常、ユーザーが人指し指と親指で挟持する箇所であり、具体的には軸筒３の前部に、凹凸部（例えば、環状突起、環状溝、螺旋状突起、螺旋状溝、点状凸部、点状凹部等）や弾性材料よりなる滑り止め部を軸筒３と一体または別体に設けることが好ましいが、グリップ部として機能するものなら平滑面でもよい。
【００１３】
また、筆記時、グリップ部３２が指により挟持されると同時に、外尾栓４の外面は、通常、人指し指と親指の指間に支持される。前記外尾栓４の指間による支持機能を適正に満足させるために、前記外尾栓４は、非可撓性の筒体が好ましく、例えば、金属や合成樹脂等の材料により形成される。
【００１４】
【００１５】
【００１６】
【００１７】
【００１８】
（通気口）
前記請求項１または２の筆記具１において、前記通気口６１として、外尾栓４の外側面に横孔を穿設してもよいが、通気口６１を外尾栓４の開口端部４１に位置させる構成（請求項３）が好ましい。（図１、図７、図８、及び図９に対応）
【００１９】
前記構成（請求項３）により、通気口６１を出来るかぎり筆記具１後端から離れた前方に位置させ、それにより、通気路６の長さ（即ち軸筒３後端から通気口６１までの長手寸法）を長く形成でき、より一層のインキ漏出防止がなされると共に、通気口６１を設けるために外尾栓４の外側面に横孔を開口させる必要がなく、簡易な構造により製造が容易となる。
【００２０】
また、前記請求項１、２または３の筆記具１において、通気口６１を複数個（即ち２個以上）にすること（請求項４）が好ましい。（図１、図７、図８、及び図９に対応）
【００２１】
なぜなら、筆記時、ユーザーが筆記具１を指で挟持し、２個以上の通気口６１を同時に指で塞ぐことは困難であり、特に、グリップ部３２の後方に通気口６１を設けた場合（請求項２）は、２個以上の通気口６１を同時に指で塞ぐことは殆どあり得ない。即ち、指で１つの通気口６１を塞いだとしても、他方の通気口６１が開口しているため、全ての通気口６１を指で塞ぐおそれがなく、筆記時の通気路６の通気性能を維持できる。
【００２２】
（追従体）
追従体１２は、インキ１１の後端に接触・配置され、筆記時のインキ１１の消費に伴って前進し、且つ、ペン先上向き時のインキ１１の逆流を防ぐものであり、具体的には、グリス状物質（難揮発性又は不揮発性溶剤にゲル化剤を配合したもの等の粘性又は粘弾性状を呈するものを含む）、弾性材料よりなるピストン、前記グリス状物質と併用されるピストン、または前記グリス状物質と併用される棒状又は筒状の合成樹脂成形体等、例示できる。
【００２３】
特に、請求項１の筆記具１において、追従体１２がグリス状であること（請求項５）が好ましい。（図１、図７、図８、及び図９に対応）
【００２４】
前記グリス状追従体１２は、ピストンに比べ軸筒３の後端開口部から外部に漏出し易いが、請求項１の構成（即ち、有底筒体よりなる外尾栓４内周面を軸筒３後部外周面に挿着する構成）と相まって、筆記具１後端からのインキ漏出は回避できる。
【００２５】
さらに、一般に追従体１２がグリス状である場合、製造工程で軸筒３後端の外周面に、グリス状物質が付着しやすく、従来ではそれを拭き取る作業が必要であったが、前記請求項１の構成により、外尾栓４によって軸筒３後端外周面が覆われるため、グリス状物質を拭き取る作業が不要となり、その結果、製造工程が簡素化するばかりか、軸筒３外周面に加飾印刷を有する場合、払拭作業時にその加飾印刷を損傷させることがない。
【００２６】
（内尾栓）
また、請求項１又は５の筆記具１において、軸筒３の内部と外部とを連通させる通気孔７４を備えた内尾栓７を、軸筒３の後端開口部内面に挿着したこと（請求項６）が好ましい。（図１、図８、図９に対応）
【００２７】
それにより、インキ１１、又はインキ１１とグリス状追従体１２が逆流した際、まず始めに、内尾栓７によって、軸筒３後端開口部からのインキ漏出を抑止でき、外尾栓４のインキ漏出防止作用と相まって、より一層、インキ漏出に対する安全性が向上する。
【００２８】
（逆流防止弁装置）
また、請求項１、５、又は６の筆記具において、筆記時に開口し非筆記時に閉鎖する逆流防止弁装置９を、ペン先２内部、軸筒３内部のペン先２近傍、又は軸筒３内部の追従体１２後方に設けた構成（請求項７）が好ましい。（図８及び図９に対応）
【００２９】
前記構成（請求項７）の逆流防止弁装置９により、軸筒３内においてインキの逆流が抑止されるため、外尾栓４の筆記具後端からのインキ漏出防止作用と相まって、インキ漏出に対する安全性がより一層向上する。
【００３０】
前記逆流防止弁装置９は、具体的には、ペン先２やホルダー８のインキ流通孔８２ａ内、あるいは内尾栓７の通気孔７４内に、ペン先上向き状態で閉鎖し、ペン先下向き状態で開口する弁装置や、あるいはボールペンペン先の場合にペン先のボール（即ちボール弁）をバネ等で前方に付勢し、筆記時の筆圧により前記ボール弁を開口させる弁装置等、例示できる。
【００３１】
例えば、図８には、前記逆流防止弁装置９を、ホルダー８内に設けた構成を示し、図９には、前記逆流防止弁装置９を、内尾栓７内に設けた構成を示す。また、図示はしないが、前記逆流防止弁装置９を、ホルダー９内及び内尾栓７内の両方に配設することもできる。
【００３２】
（インキ）
本発明において、インキ１１は、水性インキ又は油性インキ、剪断減粘性を備えた水性インキ又は油性インキ等、適宜である。
【００３３】
（ペン先）
本発明において、ペン先２は、ボールペンペン先、繊維束の樹脂加工体、繊維束の熱融着加工体、フェルト加工体、合成樹脂製連続気孔体、軸方向のインキ導出路を有する合成樹脂の押出成形体または射出成形体、万年筆型板状ペン体、小管状ペン体、毛筆状ペン体等、挙げることができる。前記ペン先は、軸筒３の前端に直接、固着されてもよいし、ホルダー８等の別部材を介して間接的に固着されてもよい。
【００３４】
【発明の実施の形態】
本発明の実施の形態を図面に従って説明する。
【００３５】
［１］第１実施例
図１〜図６に本発明の第１実施例を示す。
【００３６】
第１実施例の筆記具１は、ボールペンペン先２と、該ボールペンペン先２を前端に備えたホルダー８と、該ホルダー８を前端に固着させ且つ内部にインキ１１及び追従体１２を収容した軸筒３と、該軸筒３の後端開口部の内面に挿着される内尾栓７と、該軸筒３の後端開口部外面を含む後部外面に挿着される外尾栓４とからなるボールペンである。
【００３７】
（軸筒）
前記軸筒３は、合成樹脂（例えばポリプロピレン等）の射出成形により得られる円筒体であり、ペン先２が固着される先細部３１と、該先細部３１の後方の前部外周面に設けられたグリップ部３２と、該グリップ部３２より小径の挿入部３３とが一体に形成されてなる。
【００３８】
前記グリップ部３２は、軸筒３の前部外周面に複数の凹凸条が周状に一体に形成されてなり、滑り止め機能を有する。
【００３９】
前記軸筒３の内部には、剪断減粘性を有する水性インキ１１、及び該インキの後端にグリス状の追従体１２が充填されている。
【００４０】
前記グリップ部３２と前記挿入部３３の間（即ち挿入部３３の基端）には、外尾栓４の開口端部４１が当接する段部３４が形成される。そして、前記段部３４には等間隔で２か所に、径方向外方及び軸方向後方に開口する凹部３４ａが形成されている（図２及び図５参照）。それにより、外尾栓４を軸筒３後部に外嵌すると、外尾栓４の開口端部４１が段部３４に当接すると同時に、外尾栓４の開口端部４１と段部３４との間に２個の通気口６１が形成される。
【００４１】
また、前記軸筒３の挿入部３３の基端近傍外周面には、接続部５を構成するための、周状に間隔をおいた複数（こでは４個）の嵌合用突起５１が、２列に一体に形成されている（図３及び図５参照）。
【００４２】
（外尾栓）
前記外尾栓４は、一方に開口端部４１を備え、他方に閉塞壁部４２を備えた有底状円筒体であり、合成樹脂（例えばポリプロピレン等）の射出成形により得られる。前記外尾栓４の開口端部４１から外尾栓４内部に軸筒３の挿入部３３が挿入される。また、前記外尾栓４の外周面には、転写印刷によって加飾が施されている。
【００４３】
また、前記外尾栓４の開口端部４１近傍の内周面には、接続部５を構成する環状の嵌合用突起５２が一体に形成されている（図６参照）。
【００４４】
前記外尾栓４と前記軸筒３とを接続する接続部５は、軸筒３の後端開口部と通気口６１の間に配設され、外尾栓４の軸筒３からの抜け止め機能を有するものであり、前記軸筒３の外周面に設けた複数の嵌合用突起５１と、前記外尾栓４の内周面に設けた環状の嵌合用突起５２とからなる。前記軸筒３の挿入部３３外面に前記外尾栓４を嵌着した際、前記複数の嵌合用突起５１が外尾栓４の内周面と圧接すると共に、前記環状の嵌合用突起５２が前記複数の嵌合用突起５１の後側のものと乗り越え嵌合している。それにより、筆記時、軸筒３から外尾栓４が容易に外れることのない強固な連結構造を可能にする。
【００４５】
また、外尾栓４の、接続部５及び支持部４３を除く内径は、軸筒３の挿入部３３の接続部５を除く外径より大きく設定され、接続部５及び支持部４３を除いた外尾栓４内面と軸筒３外面の間に、筒状の通気路６が形成される。
【００４６】
さらに、軸筒３の挿入部３３外面に外尾栓４内面を嵌着した際、前記外尾栓４内面の環状の嵌合用突起５２は、軸筒３外周面と非接触であり、さらに、複数の嵌合用突起５１の相互間の間隙によって、外尾栓４内面と軸筒３外面の間に通気路６が形成される（図３参照）。即ち、接続部５に、軸筒３の後端開口部から通気口６１に至る通気路６が貫設される。
【００４７】
また、前記外尾栓４の閉塞壁部４２近傍の内面には、複数（ここでは６本）の軸方向に延びるリブよりなる支持部４３が径方向内方へ一体に突設されている（図４及び図６参照）。前記支持部４３は、軸筒３後端（即ち挿入部３３後端）外周面と嵌合して軸筒３後端外周面を径方向に支持し、外尾栓４と軸筒３の筆記時のがたつきを防止すると共に、前記リブの相互間に通気路６を形成している。また、前記支持部４３の軸筒３後端より後方部は、径方向内方にさらに突出され、軸筒３の後端開口部に取り付けられる内尾栓７の後端近傍（即ち鍔部７３後端面近傍）に位置し、それにより、軸筒３の後端開口部からの内尾栓７の脱落を防止している。
【００４８】
（内尾栓）
軸筒３の後端開口部内面には、内尾栓７が嵌着される。前記内尾栓７は、合成樹脂（例えばポリプロピレン等）の射出成形により得られ、前端の小径部７１と、該小径部７１の後端に連設の大径部７２と、該大径部７２の後端に連設の鍔部７３とからなる。前記大径部７２には、その外周面に環状突起７２ａが一体に設けられ、それが軸筒３の後端開口部内周面に圧接している。また、前記鍔部７３は、その前面が軸筒３後端面と当接している。
【００４９】
前記小径部７１外周面と軸筒３内周面との間には、環状空間７５が形成される。前記環状空間７５は、インキ１１及びグリス状追従体１２が下降したとき、インキ１１及びグリス状追従体１２を一時的に保持し、インキ１１及びグリス状追従体１２の漏出を抑制している。さらに、前記内尾栓７には軸心に通気孔７４が貫設され、特に、前端の小径部７１の通気孔７４は内径１．４ｍｍと比較的小径であるため、グリス状追従体１２の流出を抑止している。
【００５０】
（ボールペンペン先）
前記ボールペンペン先２は、金属製（具体的にはステンレス鋼製）のパイプを外方から押圧変形し、複数の内方突出部を形成し、前記内方突出部をボール受け座としたパイプ方式のボールペンペン先である。そして、前記ボール受け座の前面には超硬合金製のボール（超硬合金製・外径０．５ｍｍ）が回転可能に抱持されている。この他にも、前記ボールペンペン先２は、金属材料の切削加工及びブローチ加工によってボール受け座を形成するタイプのボールペンペン先にすることもできる。
【００５１】
（ホルダー）
前記ホルダー８は、合成樹脂（例えばポリプロピレン等）の射出成形体であり、ボールペンペン先２が圧入固着される取付孔８１ａを備えた円錐状部８１と、軸筒３の先細部３１の先端孔内面と液密嵌合し内部にインキ流通孔８２ａを備えた筒状部８２とが一体に形成されてなる。
【００５２】
［２］第２実施例
図７に本発明の第２実施例を示す。これは、前記第１実施例（図１〜図６）の筆記具１の構成から、内尾栓７を除いた構成であり、それにより、第１実施例の筆記具１よりも部品点数を減少させた簡易な構成にでき、筆記具後端からのインキ１１及びグリス状追従体１２の漏出を防止した筆記具を、安価に提供することが可能である。尚、他の構成は第１実施例と同様である。
【００５３】
［３］第３実施例
図８に本発明の第３実施例を示す。これは、第１実施例（図１〜図６）の筆記具１の構成において、ホルダー８のインキ流通孔８２ａ内に、逆流防止弁装置９を配設してなる構成であり、他の構成は第１実施例と同様である。
【００５４】
前記逆流防止弁装置９は、インキ流通孔８２ａ内を前後方向に遊動可能なボール弁９１と、ペン先下向き時、前記ボール弁９１をインキ流通可能に支持する当接部９２と、ペン先上向き時、前記ボール弁９１の密接によって閉鎖する弁座９３とからなる。
【００５５】
前記逆流防止弁装置９によってペン先上向き時のインキ１１の逆流が抑制されると共に、さらに、落下等の強い衝撃によってインキ１１が逆流したとしても、前記外尾栓４によって、第１実施例同様、筆記具１後端からのインキ漏出は確実に防止される。
【００５６】
［４］第４実施例
図９に本発明の第４実施例を示す。これは、第１実施例（図１〜図６）の筆記具１において、内尾栓７の通気孔７４内に逆流防止弁装置９を配設した構成である。
【００５７】
前記逆流防止弁装置９は、第３実施例（図８）同様、通気孔７４内を前後方向に遊動可能なボール弁９１と、ペン先下向き時、前記ボール弁９１をインキ流通可能に支持する当接部９２と、ペン先上向き時、前記ボール弁９１の密接によって閉鎖する弁座９３とからなる。
【００５８】
前記逆流防止弁装置９によって、ペン先上向き時のインキの逆流、及び落下等の強い衝撃によるインキの逆流が発生したとしても、軸筒３の後端開口部からのインキ１１やグリス状追従体１２の漏出を抑制できる。さらに、外尾栓４の被着によって、内尾栓７の通気孔７４内に塵や埃を入れず、適正な弁機能が維持できると共に、前記逆流防止弁装置９が作動不良の場合でも、軸筒３後端からのインキ漏出は確実に防止される。
【００５９】
【発明の効果】
本発明は、請求項１の構成（即ち、有底筒体よりなる外尾栓を、軸筒後部外面に挿着し、前記軸筒後部外面と前記外尾栓内面との間に、軸筒の後端開口部を通して軸筒内部と連通する通気路を形成し、前記通気路と外気とを連通させる通気口を、前記軸筒の後端開口部より前方に設けた構成）により、大容量のインキが収容可能であることは勿論、筆記具後端からのインキ漏出を確実に防止でき、インキ漏出事故に対する安全性が著しく向上する。
本発明は、請求項１の構成（即ち、軸筒外面と外尾栓内面との接続部に通気路を設けた構成）により、外尾栓を軸筒に挿着する際の外尾栓内部の圧力上昇を回避し、ペン先からのインキ漏出を防止する。
【００６０】
本発明は、請求項２の構成（即ち、外尾栓の前方の軸筒外面にグリップ部を設け、前記グリップ部の後方に通気口を設けた構成）により、グリップ部の外径を、外尾栓の外径に影響されず手で持ちやすい太さのものに自由に設定できると共に、軸筒の全てを外尾栓で覆わないため、軸筒を太径にして、インキ収容量を大きくすることができる。また、通気口を、グリップ部の後方に配設してなることによって、筆記時、指で通気口を塞ぐことを防止でき、通気路の通気性能を阻害することがない。
【００６１】
【００６２】
本発明は、請求項３の構成（即ち、外尾栓の開口端部に通気口を設けた構成）により、通気口を出来るかぎり筆記具後端から離れた前方に位置させ、それにより、通気路の長さを長く形成でき、より一層のインキ漏出防止がなされると共に、簡易な構造のため製造が容易である。
【００６３】
本発明は、請求項４の構成（即ち、通気口が複数である構成）により、全ての通気口を指で塞ぐおそれがなく、筆記時の通気路の通気性能を維持できる。
【００６４】
本発明は、請求項５の構成（即ち、追従体がグリス状である構成）は、請求項１の構成と相まって、グリス状追従体が筆記具後端から漏出することが抑止されると共に、軸筒後部外周面に付着したグリス状物質を拭き取る作業が不要となり、製造工程が簡素化する。
【００６５】
本発明は、請求項６の構成（即ち、軸筒の内部と外部を連通させる通気孔を備えた内尾栓を、軸筒の後端開口部内面に挿着した構成）により、内尾栓によって軸筒の後端開口部からのインキ漏出を抑止でき、外尾栓のインキ漏出防止作用と相まって、より一層、インキ漏出事故に対する安全性が向上する。
【００６６】
本発明は、請求項７の構成（即ち、逆流防止弁装置を、ペン先内部、軸筒内部のペン先近傍、又は軸筒内部の追従体後方に設けた構成）により、軸筒内においてインキの逆流が抑制されるため、外尾栓のインキ漏出防止作用と相まって、より一層、インキ漏出事故に対する安全性が向上する。
【図面の簡単な説明】
【図１】本発明の第１実施例を示す縦断面図である。
【図２】図１の拡大Ａ−Ａ断面図である。
【図３】図１の拡大Ｂ−Ｂ断面図である。
【図４】図１の拡大Ｃ−Ｃ断面図である。
【図５】図１の軸筒の要部外観図である。
【図６】図１の外尾栓の縦断面図である。
【図７】本発明の第２実施例を示す縦断面図である。
【図８】本発明の第３実施例を示す縦断面図である。
【図９】本発明の第４実施例を示す縦断面図である。
【符号の説明】
１  筆記具
１１  インキ
１２  追従体
２  ペン先（ボールペンペン先）
３  軸筒
３１  先細部
３２  グリップ部
３３  挿入部
３４  段部
３４ａ  凹部
４  外尾栓
４１  開口端部
４２  閉塞壁部
４３  支持部
５  接続部
５１  複数の嵌合用突起
５２  環状の嵌合用突起
６  通気路
６１  通気口
７  内尾栓
７１  小径部
７２  大径部
７２ａ  環状突起
７３  鍔部
７４  通気孔
７５  環状空間
８  ホルダー
８１  円錐状部
８１ａ  取付孔
８２  筒状部
８２ａ  インキ流通孔
９  逆流防止弁装置
９１  ボール弁
９２  当接部
９３  弁座
【図１】
0003929571.tif 000002
【図２】
0003929571.tif 000003
【図３】
0003929571.tif 000004
【図４】
0003929571.tif 000005
【図５】
0003929571.tif 000006
【図６】
0003929571.tif 000007
【図７】
0003929571.tif 000008
【図８】
0003929571.tif 000009
【図９】
0003929571.tif 000010